(57)【要約】【課題】内部に虫又は塵芥が入りにくい照明具を提供する。【解決手段】照明具２は、支持部材２４と主カバー２１と電線保持具４８と端部カバー２２を有する。端部カバー２２は、取付部２２３から第１方向（長手方向）の中央側に向かって突出して形成され支持部材２４と対向している第１突出片２２５を有する。支持部材２４は、主カバー２１の端部から第１方向（長手方向）の外側に向かって突出した突出部２６１を有し、第１突出片２２５は、突出部２６１と対向している。電線保持具４８は、主カバー２１の端部から第１方向（長手方向）の外側に向かって突出している鍔部４８９を有し、鍔部４８９は、端部カバー２２の第１突出片２２５と対向している【選択図】図９
2019029070.tif 000002
【特許請求の範囲】
【請求項１】
第１方向に沿って１面に発光素子が配置された支持部材と、
前記支持部材の前記１面を覆うように前記支持部材に取り付けられた主カバーと、
前記主カバーの端部が取り付けられた取付部を有し、前記主カバーに固定された端部カバーと
を備え、
前記端部カバーは、前記取付部から前記第１方向の中央側に向かって突出して形成され前記支持部材と対向している第１突出片を有する照明具。
【請求項２】
前記支持部材は、端部から第１方向の外側に向かって突出した突出部を有し、
前記第１突出片は、前記突出部と対向している請求項１に記載の照明具。
【請求項３】
前記第１突出片は、前記突出部の厚さ寸法よりも長く前記突出部と対向しており、
前記第１突出片は、前記第１突出片の厚さ寸法よりも長く前記突出部と対向している請求項２に記載の照明具。
【請求項４】
前記端部カバーは、第１方向の外側に向かって形成された後退部を有し、
前記突出部は、前記後退部の底面と対向している請求項２又は３に記載の照明具。
【請求項５】
前記後退部の壁面と前記突出部の先端との間に隙間が存在する請求項４に記載の照明具。
【請求項６】
前記主カバーは、第１方向に沿って開口部を有し、
前記突出部の第１方向と直交する第２方向の長さ寸法は、前記開口部の第１方向と直交する第２方向の長さ寸法よりも大きい請求項２から５いずれか１項に記載の照明具。
【請求項７】
前記主カバーは、第１方向に沿って開口部を有し、
前記第１突出片の第１方向と直交する第２方向の長さ寸法は、前記開口部の第１方向と直交する第２方向の長さ寸法と同じ請求項１から５いずれか１項に記載の照明具。
【請求項８】
請求項１から７のいずれか１項に記載の照明具と、
前記照明具を装着した照明器具と
を備えた照明装置。
【請求項９】
支持部材の１面に第１方向に沿って発光素子を配置し、
主カバーを、前記支持部材の前記１面を覆うように前記支持部材に取り付け、
端部カバーの取付部に前記主カバーの端部を取り付けて前記端部カバーを前記主カバーに固定し、
前記端部カバーの前記取付部から前記第１方向の中央側に向かって突出して形成された第１突出片を前記支持部材と対向させる照明具の製造方法。
【請求項１０】
前記支持部材に、第１方向の外側に向かって突出した突出部を形成し、
前記第１突出片と前記突出部とを対向させる請求項９に記載の照明具の製造方法。
【発明の詳細な説明】
【技術分野】
【０００１】
本発明は、ＬＥＤ（発光ダイオード）といった固体発光素子を用いた照明具に関する。特に、内部に虫又は塵芥が入りにくい照明具の関する。
【背景技術】
【０００２】
照明装置を構成する部品間には、成型ばらつき、及び、熱と湿度による膨張又は収縮を考慮して、ある程度のクリアランスを設けている。
【先行技術文献】
【特許文献】
【０００３】
【特許文献１】特開２０１２−０６９２９６号公報
【特許文献２】特開２０１４−１５４４３３号公報
【発明の概要】
【発明が解決しようとする課題】
【０００４】
照明装置には、成型ばらつきにより組立ばらつきが生じ、熱と湿度による膨張又は収縮により、使用環境によっては部品間に隙間が生じる場合があり、この隙間から虫又は塵芥が照明装置の内部に混入するおそれがあった。
本発明は、内部に虫又は塵芥が入りにくい照明具を提供することを目的とする。
【課題を解決するための手段】
【０００５】
本発明に係る照明具は、
第１方向に沿って１面に発光素子が配置された支持部材と、
前記支持部材の前記１面を覆うように前記支持部材に取り付けられた主カバーと、
前記主カバーの端部が取り付けられた取付部を有し、前記主カバーに固定された端部カバーと
を備え、
前記端部カバーは、前記取付部から前記第１方向の中央側に向かって突出して形成され前記支持部材と対向している第１突出片を有する。
【発明の効果】
【０００６】
本発明に係る照明具は、内部に虫又は塵芥が入りにくい。
【図面の簡単な説明】
【０００７】
【図１】実施の形態１に係る照明装置６００の組立斜視図。
【図２】実施の形態１に係る照明装置６００の分解斜視図。
【図３】実施の形態１に係る照明具２の斜視図。
【図４】実施の形態１に係る照明具２の取り付けを説明する図。
【図５】実施の形態１に係る照明具２の断面図。
【図６】実施の形態１に係る端部カバー２２を説明する斜視図。
【図７】実施の形態１に係る照明具２の主要部を説明する分解斜視図。
【図８】実施の形態１に係る電線保持具４８を説明する拡大図。
【図９】実施の形態１に係る照明具２の端部を説明する拡大図。
【図１０】実施の形態１に係る照明具２の端部を説明する拡大図。
【図１１】実施の形態１に係る照明具２の端部の拡大断面図。
【図１２】実施の形態１に係る端部カバーの変形例を説明する拡大図。
【図１３】実施の形態２に係る端部カバー２２を説明する斜視図。
【図１４】実施の形態２に係る照明具２の端部の拡大断面図。
【図１５】実施の形態２に係る照明具２の端部の拡大断面図。
【図１６】実施の形態２に係る照明具２の端部の拡大断面図。
【発明を実施するための形態】
【０００８】
以下、本発明の実施の形態について、図を用いて説明する。なお、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置及び向きを限定するものではない。
【０００９】
なお、以下の説明では、照明装置６００を取り付ける造営部９００の方向を取付方向あるいは上方とし、光源の照射方向を下方として説明する。
【００１０】
また、以下の説明で、長手方向は、第１方向の具体例であり、短手方向は、第１方向と直交する第２方向の具体例である。
【００１１】
実施の形態１．
＊＊＊構成の説明＊＊＊
照明装置６００の説明
図１と図２に示すように、照明装置６００は、照明器具１と照明具２とを有する。
照明装置６００は、天井あるいは壁といった造営部９００に取り付けられる照明装置であり、長手方向に延びた長尺状の照明装置である。照明装置６００は、光源一体型ＬＥＤベースライトともいう。
照明装置６００は、照明具２と、照明具２を着脱可能に取り付ける照明器具１とを有する。
図に示した照明装置６００は、天井直付形の所謂「逆富士タイプ」であるが、「トラフタイプ」、「笠付タイプ」、「下面開放タイプ」、「埋込形」でもよい。
また、複数台の照明装置６００を連結した「連結タイプ」であってもよい。
【００１２】
照明器具１の説明
図２に示すように、照明器具１は、器具本体１０を有する。
【００１３】
器具本体１０の説明
図２に示すように、器具本体１０は、外観主部１０１とユニット取付部１０２とを有する。
器具本体１０は、板金が折り曲げられて形成される。
ユニット取付部１０２は、照明具２を収容する収納部となる部分であり、収容部ともいう。
ユニット取付部１０２は、照明具２を着脱可能に取り付ける。
ユニット取付部１０２は、底面部１０３と周面部１０４とを有する。
器具本体１０は、両サイドに、器具端部１０５を有する。
底面部１０３は、ユニット取付部１０２の長手方向に延びている板である。
底面部１０３には、２つの器具側取付装置１１と、電源に接続された器具電源線材１２が設置される。
周面部１０４は、底面部１０３の短手方向の両端部を基端部として立ち上がっている壁である。
器具端部１０５は、器具本体１０の端面部を塞ぐように器具本体１０に取り付けられる。
【００１４】
器具側取付装置１１の説明
器具側取付装置１１は、器具側連結具となる取付バネであり、板バネが好適である。
器具側取付装置１１は、後述する照明具２が備えるユニット側取付装置４６に対応する位置に配置される。
器具側取付装置１１は、照明具２が備えるユニット側取付装置４６と係り合う板バネである。
【００１５】
器具電源線材１２の説明
器具電源線材１２は、照明器具１に配線された電源線材である。
器具電源線材１２は、器具側コネクタ１３を有する。
【００１６】
照明具２の説明
照明具２は、照明具２、光源装置、ライトユニットと呼ばれることもある。
図２に示すように、照明具２は、外郭部２０と光源モジュール３０と電源ユニット４０とを有する。
【００１７】
外郭部２０の説明
外郭部２０は、光源モジュール３０を覆う外郭である。
図７に示すように、外郭部２０は、主カバー２１と端部カバー２２と支持部材２４とを有する。
主カバー２１は、透光性カバーであり、外郭部２０の第１外郭部である。
主カバー２１は、基板３４を覆うように支持部材２４に取り付けられる。
端部カバー２２は、外郭部２０の第２外郭部である。
支持部材２４は、外郭部２０の第３外郭部である。
【００１８】
主カバー２１の説明
図７に示すように、主カバー２１は、カバー主部２１０とカバー側部２１１とカバー係合部２１２とカバー保持部２１３とを有する。
カバー主部２１０は、前面透光部である。
カバー側部２１１は、側面透光部である。
カバー係合部２１２は、支持部材２４と嵌め合わせる部分である。
カバー保持部２１３は、支持部材２４を保持する部分である。
【００１９】
カバー主部２１０は、主カバー２１の全面に位置し、基板３４に対向する部分である。
カバー側部２１１は、主カバー２１の側部に相当する部分である。
カバー係合部２１２は、カバー側部２１１から取付方向に突き出た部分である。
カバー係合部２１２は、支持部材２４の側部２４４と係り合い、主カバー２１を支持部材２４に取り付ける。
【００２０】
図５に示すように、主カバー２１は、支持部材２４に取り付けられた光源モジュール３０を覆うように支持部材２４に取り付けられる。
主カバー２１は、カバー係合部２１２が支持部材２４の側部２４４の先端部２４６を覆って、支持部材２４に取り付けられる。
【００２１】
端部カバー２２の説明
図６に示すように、端部カバー２２は、端面部２２０と周部２２１とを有する。
【００２２】
端面部２２０は、平らな底部である。
周部２２１は、周面部であり、端面部２２０の周囲に設けられた環状壁である。
周部２２１は、環状壁の途中に取付部２２３と嵌込部２２３０とを有する。
取付部２２３は、主カバー２１の端面を接着固定する環状平面である。
取付部２２３は、主カバー２１のカバー主部２１０とカバー側部２１１とカバー保持部２１３との端面形状が当接できる形状で形成されている。
嵌込部２２３０は、取付部２２３の途中から設けられた環状壁である。
嵌込部２２３０は、主カバー２１の端面の内周形状と同じ外周形状を有する。
嵌込部２２３０は、主カバー２１の端面の内側に嵌め込まれる。
取付部２２３と嵌込部２２３０とは、主カバー２１の端部と接着剤で固定される。
【００２３】
周部２２１は、後退部２２２を有する。
後退部２２２は、周部２２１の器具側の部分に形成された段差部又は凹部である。
後退部２２２は、主カバー２１の端面が当接する取付部２２３よりも端部側にへこんで形成されたへこみ部又は窪み部である。
後退部２２２は、底面２２２１と壁面２２２２とを有する。
底面２２２１は、後退部２２２の床底にある矩形状の水平平面である。
底面２２２１は、支持部材２４の第１面部２４１の延長平面に形成されている。
壁面２２２２は、長手方向の端部方向に形成された立設面である。
壁面２２２２は、取付部２２３よりも端部側に後退した位置に形成されている。
壁面２２２２は、主カバー２１と支持部材２４が存在する中央側には存在しない。
【００２４】
第１突出片２２５の説明
図６に示すように、端部カバー２２は、第１突出片２２５を有する。
第１突出片２２５は、オーバーラップ部となり、取付ガイド部となる。
第１突出片２２５は、取付部２２３から支持部材２４に向かって突出した矩形板である。
第１突出片２２５は、基端部２２６と先端部２２７とを有する。
基端部２２６は、後退部２２２に接続されている。
先端部２２７は、第１突出片２２５の先端である。
第１突出片２２５は、第１面部２２８と第２面部２２９を有する。
第１面部２２８は、照射側の面である。
第２面部２２９は、器具側の面であり、オーバーラップする対向面部となる。
第２面部２２９は、後退部２２２の底面２２２１と同一平面に存在する。
【００２５】
第２突出片２３０の説明
図６に示すように、端部カバー２２は、第２突出片２３０を有する。
第２突出片２３０は、取付部２２３から支持部材２４に向かって突出している２個の舌状片である。
第２突出片２３０は、支持部材２４を支持する支持片であり、虫及び塵芥の捕捉部ともなる。
第２突出片２３０は、基端部２３１と先端部２３２と第１面部２３４と第２面部２３５とを有する。
基端部２３１は、取付部２２３に接続されている。
先端部２３２は、第２突出片２３０の先端である。
第１面部２３４は、照射側の面である。
第２面部２３５は、器具側の面であり、支持部材２４との対向面部となる。
【００２６】
支持部材２４の説明
支持部材２４は、取付部材であり、台座となり、ヒートシンクとなる。
図７に示すように、支持部材２４は、長手方向に延びており、断面コ字状を成す。
支持部材２４は、取付部となる板状の主部２４０を有する。
主部２４０は、第１面部２４１と第２面部２４２とを有する。
第１面部２４１は、光源モジュール３０が取り付けられる面であり、照射側の面であり、基板取付面部となる。
第２面部２４２は、器具側の面であり、図３に示すように、電源ユニット４０とユニット側電源線材４２とユニット側取付装置４６とその他の付属装置の取付面部となる。
【００２７】
主部２４０は、短手方向の両側に側縁部２４３を有する。
支持部材２４は、側縁部２４３に側部２４４を有する。
側部２４４は、照明具２が照明器具１に取り付けられた状態で、照明器具１のユニット取付部１０２の底面部１０３に向かって立ち上がっている。
側部２４４は、基端部２４５と先端部２４６とを有する。
基端部２４５は、側縁部２４３の端部に接続されている。
先端部２４６は、カバー係合部２１２と嵌め合わされる係合部である。
【００２８】
支持部材２４の一端部２５０の説明
図７の（ａ）に示すように、支持部材２４の一端部２５０は、電線保持具装着部２５１と電線挿通切欠き部２５２と電線保持具装着孔２５３とを有する。
電線保持具装着部２５１は、電線保持具４８を装着する。
電線挿通切欠き部２５２は、電線保持具４８を装着するための切欠き部である。
電線保持具装着孔２５３は、電線保持具４８を装着するための貫通孔である。
【００２９】
支持部材２４の他端部２６０の説明
図７の（ｂ）に示すように、支持部材２４の他端部２６０は、突出部２６１を有する。
突出部２６１は、端面２４７から長手方向に突出しおり、オーバーラップ部となる。
【００３０】
光源モジュール３０の説明
図７に示すように、光源モジュール３０は、発光素子３１と回路部品３２（図示せず）と基板コネクタ３３（図示せず）と基板３４とを有する。
発光素子３１は、ＬＥＤが好適である。発光素子３１は、有機ＥＬあるいはレーザといった発光素子でもよい。
基板３４は、実装面３４０と非実装面３４１とを有する。
実装面３４０は、光源モジュール３０の表面であり、発光素子３１が実装される面である。実装面３４０は、高反射面である。
非実装面３４１は、光源モジュール３０の裏面であり、支持部材２４の第１面部２４１との接着面であり、支持部材２４への熱伝達面である。
【００３１】
電源ユニット４０と電源関連部品の説明
図３に示すように、電源ユニット４０は、主部２４０の長手方向中央より一方側に寄せて取り付けられている。
電源ユニット４０は、主部２４０の長手方向中央に取り付けられていても構わない。
【００３２】
図３に示すように、照明具２は、ユニット側電源線材４２と、ユニット側コネクタ４３と、給電線材４４と、端子台４１と、電線留め具４９とを有する。
ユニット側電源線材４２は、電源ユニット４０と端子台４１とを接続する。
ユニット側コネクタ４３は、ユニット側電源線材４２の端部に設置されている。
電線留め具４９は、電線ホルダである。
【００３３】
図８に示すように、給電線材４４は、照明具２の端部において、支持部材２４の第２面部２４２に配置された電線保持具４８により固定される。
給電線材４４は、電線保持具４８でＵ字状に折り返され、支持部材２４の第１面部２４１に取り付けられた基板３４の実装面３４０に配線される。
基板３４の実装面３４０において、給電線材４４の給電コネクタ４５と光源モジュール３０の基板コネクタ３３とが接続される。
このようにして、基板３４に電力を供給することが可能となる。
【００３４】
図３に示すように、照明具２は、ユニット側取付装置４６を有する。
ユニット側取付装置４６は、ユニット側連結具であり、ユニット側取付具であり、バネ受け金具である。
２つのユニット側取付装置４６は、主部２４０の長手方向の両端側にそれぞれ取り付けられている。
ユニット側取付装置４６は、照明器具１が備える器具側取付装置１１と係り合い、照明具２を照明器具１に固定する。
【００３５】
図７に示すように、照明具２は、電線保持具４８を有する。
電線保持具４８は、電線保持部材、電線保持装置、配線保持装置、又は、ハーネスクランプとも呼ばれる。
図８に示すように、電線保持具４８は、ベース部４８０と取付フック４８１とクランプ部４８２とヒンジ部４８３とクランプ受け部４８４とガイド部４８５とガイド部４８５と電線挿通溝４８６と第１係合部４８７と第２係合部４８８と鍔部４８９とを有する。
ベース部４８０は、矩形状の板である。
取付フック４８１は、電線保持具４８を支持部材２４に取り付ける爪である。
クランプ部４８２は、給電線材４４を電線挿通溝４８６に保持する保持部である。
クランプ部４８２は、クランプ天部４８２１とクランプ側部４８２２と配線押え部４８２３とを有する。
クランプ天部４８２１は、クランプ受け部４８４の上面に乗る上面カバーである。
クランプ側部４８２２は、クランプ天部４８２１と直交する面であり、クランプ受け部４８４の端部側の側面を覆う側面カバーである。
クランプ側部４８２２の外面は、主カバー２１の端面と同じ平面に存在する。
配線押え部４８２３は、クランプ天部４８２１の両サイドにあり、電線挿通溝４８６と対応する位置に形成された凸部である。
ヒンジ部４８３は、クランプ受け部４８４の一端でクランプ部４８２を回転可能に取り付けた可動連結部ある。
クランプ受け部４８４は、ベース部４８０に固定され、クランプ部４８２と面接触するクランプ当接部である。
ガイド部４８５は、給電線材４４を留める配線ガイドである。
電線挿通溝４８６は、給電線材４４を挟みこむ凹形状の溝である。
給電線材４４は、配線押え部４８２３により電線挿通溝４８６に固定される。
第１係合部４８７は、クランプ部４８２の一端に形成されたクランプ部側係合部である。
第２係合部４８８は、クランプ受け部４８４の他端側に形成されたベース部側係合部である。
鍔部４８９は、クランプ側部４８２２の下端から端部側に張り出した突出部又は張出部であり、第２面部２２９とオーバーラップするオーバーラップ部である。
【００３６】
内部空間５４の説明
図５に示すように、照明装置６００は、内部空間５４を有する。
【００３７】
主カバー２１と端部カバー２２とは接着固定されるので、カバー主部２１０の端面とカバー側部２１１の端面とカバー保持部２１３の端面と、端部カバー２２の取付部２２３とは隙間なく密着した状態が維持され、主カバー２１と端部カバー２２の間から内部空間５４に虫又は塵芥が侵入する虞がない。
【００３８】
一方、主カバー２１の開口部２１４の部分は、主カバー２１と端部カバー２２とが当接できない部分である。主カバー２１と端部カバー２２とが当接できない代わりに、支持部材２４と端部カバー２２とを当接すればよい。
しかし、支持部材２４の端面２４７と端部カバー２２の端面部２２０の内面とは以下の要因により完全には当接できず、隙間が生じる。
１．部品の成型誤差
２．組立誤差
３．温度又は湿度による伸縮差
４．施工時の残留ストレス
同様の理由により、電線保持具４８のクランプ側部４８２２の外面と端部カバー２２の取付部２２３の内面とも完全には当接できず、隙間が生じる。
【００３９】
内部空間５４には、開放空間５４０と捕捉空間５４１とがある。
開放空間５４０は、主カバー２１と端部カバー２２と支持部材２４と電線保持具４８とにより囲まれた空間である。
図５に示す短手方向の長さ寸法Ｗ１をカバー保持部２１３が存在しない開口部２１４の開口寸法とし、短手方向の長さ寸法Ｗ２をカバー保持部２１３が中央に向かって張り出した張出寸法とする。
支持部材２４の端面２４７と端部カバー２２の取付部２２３とには、短手方向において長さ寸法Ｗ１の長手方向の隙間Ｚａが発生する虞がある。
また、電線保持具４８のクランプ側部４８２２の外面と端部カバー２２の取付部２２３とにも、短手方向において開口部２１４の長さ寸法Ｗ１の長手方向の隙間Ｚａが発生する虞がある。
したがって、開放空間５４０は、短手方向において長さ寸法Ｗ１の隙間Ｚａから虫又は塵芥が侵入する虞がある空間である。
一方、捕捉空間５４１は、虫又は塵芥を補足する空間隙間Ｚｂである。
捕捉空間５４１は、カバー保持部２１３と支持部材２４とに挟まれた空間であり、短手方向において長さ寸法Ｗ２の隙間から捕捉空間５４１に虫又は塵芥が侵入しても虫又は塵芥は捕捉空間５４１の内部にとどまり、開放空間５４０に移動することはできない。
捕捉空間５４１は、短手方向において長さ寸法Ｗ２の二箇所の隙間Ｚｂから虫又は塵芥が侵入してもかなわない空間である。
【００４０】
照明具２の製造方法
照明具２の製造方法は以下のとおりである。
【００４１】
ステップ１：電線保持具４８の製造
電線保持具４８を製造する。
電線保持具４８の第１方向（長手方向）の外側に向かって突出した鍔部４８９を形成する。
【００４２】
ステップ２：支持部材２４の製造
支持部材２４を製造する。
支持部材２４の一端部２５０に電線保持具４８を取り付ける電線保持具装着部２５１を形成する。
支持部材２４の他端部２６０に第１方向（長手方向）の外側に向かって突出した突出部２６１を形成する。
そして、支持部材２４の第１面部２４１（１面）に第１方向（長手方向）に沿って発光素子３１を配置する。
また、支持部材２４の一端部２５０に電線保持具４８を取り付ける。
【００４３】
ステップ３：端部カバー２２の製造
端部カバー２２を製造する。
その際、端部カバー２２に第１方向（長手方向）の中央側に向かって突出する第１突出片２２５を形成する。
また、端部カバー２２に第１方向（長手方向）の外側に向かって窪んだ後退部２２２を形成する。
【００４４】
ステップ４：主カバー２１の取り付け
主カバー２１を、支持部材２４の１面を覆うように支持部材２４に取り付ける。
【００４５】
ステップ５：端部カバー２２の固定
端部カバー２２の取付部２２３に主カバー２１の端部を取り付けて端部カバー２２を主カバー２１に固定する。
その際、取付部２２３から第１方向の中央側に向かって突出して形成された第１突出片２２５を支持部材２４と対向させる。
また、支持部材２４の第１方向（長手方向）の外側に向かって突出して形成された突出部２６１を端部カバー２２と対向させる。
また、電線保持具４８の第１方向（長手方向）の外側に向かって突出して形成された鍔部４８９を端部カバー２２と対向させる。
【００４６】
具体的には、支持部材２４の他端部２６０において、第１突出片２２５と突出部２６１とを対向させる。
また、支持部材２４の一端部２５０において、第１突出片２２５と鍔部４８９とを対向させ、後退部２２２の底面２２２１と鍔部４８９とを対向させる。
【００４７】
ステップ４の端部カバー２２の固定方法についての説明
以下、ステップ４の端部カバー２２の固定方法について詳細に説明する。
【００４８】
図９の（ｂ）に示すように、鍔部４８９と突出部２６２とは、支持部材２４と主カバー２１とが組み立てられた状態で、主カバー２１の端面から突出している。
鍔部４８９と突出部２６２とは、端部カバー２２を取り付ける際のガイド部となる。
まず、主カバー２１と端部カバー２２との接触部分に接着剤を塗布する。
具体的には、端部カバー２２の周部２２１の取付部２２３の環状面又は嵌込部２２３０の外周とに接着剤を塗布する。あるいは、主カバー２１の端面又は主カバー２１の端部内面に接着剤を塗布する。
次に、端部カバー２２の第２突出片２３０を鍔部４８９の下に位置させながら、第２突出片２３０の先端部２３２をカバー保持部２１３の間に差し込む。
次に、端部カバー２２の第１突出片２２５の第２面部２２９を主カバー２１の端面から突出する鍔部４８９の下面に当接させて、端部カバー２２の位置決めをする。
そして、その状態で端部カバー２２を主カバー２１の端面に押し込む。
２個の第２突出片２３０は、主カバー２１のカバー保持部２１３の間にある開口部２１４に差し込まれる。
２個の第２突出片２３０の基端部２３１の外側の短手方向の最大寸法を開口部２１４の短手方向の寸法と一致させておき、端部カバー２２を主カバー２１の端面に押し込むことで、端部カバー２２の短手方向の位置決めがされる。
また、端部カバー２２の第１突出片２２５の第２面部２２９を主カバー２１の端面から突出する鍔部４８９の下面に当接させて押し込むことにより、端部カバー２２の差込部２２４が捕捉空間５４１に差し込まれる。
差込部２２４は、差込部２２４の下面がカバー保持部２１３の上面に当接した状態で、捕捉空間５４１に差し込まれる。
第１突出片２２５が鍔部４８９に当たり、差込部２２４がカバー保持部２１３に当たることより端部カバー２２の上下方向の位置決めがされる。
端部カバー２２が主カバー２１に差し込まれると、主カバー２１と端部カバー２２との接触部分は接着剤により接着される。すなわち、端部カバー２２で覆われる主カバー２１の端面は全て端部カバー２２と接着され、主カバー２１と端部カバー２２との接触部分には隙間が生じない。
【００４９】
支持部材２４の一端部２５０における端部カバー２２の取付構造の説明
図９の（ａ）に示すように、電線保持具４８は、クランプ側部４８２２の下端に鍔部４８９を有する。
端部カバー２２は、第１突出片２２５を有する。
図１１の（ａ）に示すように、鍔部４８９の下に第１突出片２２５が差し込まれて固定されている。
鍔部４８９は、端部カバー２２の後退部２２２まで差し込まれ、後退部２２２は鍔部４８９を収納する形状になっている。したがって、短手方向において鍔部４８９が存在する部分においては、長手方向に隙間が生じない。
【００５０】
図１０に示す寸法関係は以下のとおりである。
鍔部４８９の短手方向の長さ寸法Ｆは、開口部２１４の長さ寸法Ｗ１よりも大きい。
鍔部４８９の短手方向の長さ寸法Ｆは、端部カバー２２の後退部２２２の短手方向の長さ寸法Ｗ３より小さい。
鍔部４８９の短手方向の長さ寸法Ｆは、第１突出片２２５の短手方向の長さ寸法Ｗ４より大きい。
第１突出片２２５と電線保持具４８との重なり寸法Ｌ２は、鍔部４８９のクランプ側部４８２２からの突出長さ寸法Ｌ１と、第１突出片２２５の取付部２２３からの突出長さ寸法Ｌ２とを加算し、クランプ側部４８２２と取付部２２３との間の長手方向の隙間寸法Ｍ１を減算した値となる。
クランプ側部４８２２と取付部２２３との間に長手方向に隙間がなく長手方向の隙間寸法Ｍ１が０ならば、第１突出片２２５と電線保持具４８との重なり寸法Ｌ２は、鍔部４８９の突出長さ寸法Ｌ１と第１突出片２２５の突出長さ寸法Ｌ２とを加算した長さ寸法となる。
【００５１】
図１１の（ａ）に示す寸法関係は以下のとおりである。
鍔部４８９の対向面部４８９０と第１突出片２２５の第１面部２２８との重なり寸法Ｌ６は、鍔部４８９の対向面部４８９０の長手方向の水平面の長さ寸法となる。
重なり寸法Ｌ６は、鍔部４８９の厚さ寸法Ｔ１より大きい。
重なり寸法Ｌ６は、鍔部４８９の厚さ寸法Ｔ１の２倍以上３倍以下である。
重なり寸法Ｌ６は、第１突出片２２５の厚さ寸法Ｔ２より大きい。
重なり寸法Ｌ６は、第１突出片２２５の厚さ寸法Ｔ２の２倍以上３倍以下である。
重なり寸法Ｌ６は、支持部材２４の厚さ寸法Ｔ３より大きい。
重なり寸法Ｌ６は、支持部材２４の厚さ寸法Ｔ３の３倍以上又は４倍以上であり６倍以下である。
重なり寸法Ｌ６は、鍔部４８９の厚さ寸法Ｔ１より大きく、クランプ側部４８２２の厚さ寸法Ｔ４より大きい。
重なり寸法Ｌ６は、鍔部４８９の厚さ寸法Ｔ１の２倍以上３倍以下であり、クランプ側部４８２２の厚さ寸法Ｔ４の２倍以上３倍以下である。
重なり寸法Ｌ６は、鍔部４８９と後退部２２２との間の隙間の隙間寸法Ｍ２の１．２倍以上２．０倍以下である。
重なり寸法Ｌ６は、給電線材４４と先端部２２７との間の隙間の隙間寸法Ｍ３の０．５倍以上１．０倍以下である。
対向面部４８９０は、鍔部４８９が第２面部２２９と対向している面である。
鍔部４８９の対向面部４８９０と第１突出片２２５の第１面部２２８との重なり部分は、第１突出片２２５と底面２２２１との長手方向の中央に位置している。
鍔部４８９の長手方向の両側には、隙間寸法Ｍ２の隙間と隙間寸法Ｍ３の隙間がある。隙間寸法Ｍ２と隙間寸法Ｍ３とは、共に、部品の最大伸縮長さ以上の寸法である。したがって、部品の伸縮により第１突出片２２５と対向面部４８９０との重なりがずれても、先端部２２７と鍔部４８９との先端が各々長手方向において他の部品と衝突することはない。
【００５２】
支持部材２４の他端部２６０における端部カバー２２の取付構造の説明
図９の（ａ）に示すように、支持部材２４は、突出部２６１を有する。
端部カバー２２は、第１突出片２２５を有する。
図１１の（ｂ）に示すように、突出部２６１の下に第１突出片２２５が差し込まれて固定されている。
突出部２６１は、端部カバー２２の後退部２２２まで差し込まれ、後退部２２２は突出部２６１を収納する形状になっている。したがって、短手方向において突出部２６１が存在する部分においては、長手方向に隙間が生じない。
【００５３】
図１０に示す寸法関係は以下のとおりである。
突出部２６１の短手方向の長さ寸法Ｇは、開口部２１４の長さ寸法Ｗ１よりも大きい。
突出部２６１の短手方向の長さ寸法Ｇは、端部カバー２２の後退部２２２の短手方向の長さ寸法Ｗ３より小さい。
突出部２６１の短手方向の長さ寸法Ｇは、第１突出片２２５の短手方向の長さ寸法Ｗ４より大きい。
第１突出片２２５と支持部材２４との重なり寸法Ｌ４は、突出部２６１の支持部材２４端面からの突出長さ寸法Ｌ５と、第１突出片２２５の取付部２２３からの突出長さ寸法Ｌ３とを加算し、支持部材２４の端面２４７と取付部２２３との長手方向の隙間寸法Ｍ４を減算した値になる。
長手方向に隙間がなく長手方向の隙間寸法Ｍ４が０ならば、第１突出片２２５と突出部２６１との重なり寸法Ｌ４は、突出部２６１の突出長さ寸法Ｌ５と第１突出片２２５の突出長さ寸法Ｌ３とを加算した長さ寸法となる。
【００５４】
図１１の（ｂ）に示す寸法関係は以下のとおりである。
重なり寸法Ｌ４は、第１突出片２２５の厚さ寸法Ｔ２より大きい。
重なり寸法Ｌ４は、第１突出片２２５の厚さ寸法Ｔ２の４倍以上である。
重なり寸法Ｌ４は、支持部材２４の厚さ寸法Ｔ３より大きい。
重なり寸法Ｌ４は、支持部材２４の厚さ寸法Ｔ３の８倍以上又は１０倍以上である。
重なり寸法Ｌ４は、突出部２６１と後退部２２２との間の隙間の隙間寸法Ｍ５の１．５倍以上３．０倍以下である。
重なり寸法Ｌ４は、先端部２２７と、回路部品３２、基板コネクタ３３、基板３４との間の最小隙間の隙間寸法Ｍ６の０．５倍以上３．０倍以下である。
重なり寸法Ｌ４は、第１突出片２２５と底面２２２１との長手方向の５０％以上であり、７５％である。
重なり寸法Ｌ４は、長手方向の両側には、隙間寸法Ｍ４の隙間と隙間寸法Ｍ５の隙間がある。隙間寸法Ｍ４と隙間寸法Ｍ５とは、共に、部品の最大伸縮長さ以上の寸法である。したがって、部品の伸縮により第１突出片２２５と支持部材２４との重なりがずれても、先端部２２７と突出部２６１との先端が各々長手方向において他の部品と衝突することはない。
【００５５】
照明装置６００の施工方法の説明
図４を用いて、照明器具１に照明具２を取り付ける方法について説明する。
まず、造営部９００である天井に照明器具１を取り付ける。照明器具１を天井に取り付ける方法には、天井からつり下げられている吊ボルトに固定する方法、あるいは、ネジなどの固定具により直接天井に固定する方法などがある。
照明器具１を造営部９００に取り付ける際、天井から引き出された電源電線すなわちＦケーブルを、照明器具１のユニット取付部１０２内に引き込み、端子台４１を介して器具電源線材１２の器具側コネクタ１３に接続する。
次に、図４に示すように、板バネである器具側取付装置１１を照明具２のユニット側取付装置４６と係合させる。このとき、照明具２と照明器具１との間に作業空間が存在する状態で、照明器具１の器具電源線材１２と照明具２のユニット側電源線材４２とを接続するなどの作業が行われる。その後、照明具２を照明器具１に向かって押し上げ、照明具２が照明器具１に取り付けられる。
【００５６】
＊＊＊実施の形態１の構成の特徴＊＊＊
従来の照明装置に存在する二個の部品間の長手方向の隙間は、部品の長手方向への伸縮を吸収するためのものである。
そして、直交する二個の部品を配置する場合、一方の部品の端面で他方の部品に配置すれば、一方の部品の端面の厚さで他方の部品に当接することになる。
一方、虫よけのため、二個の部品を長手方向の隙間をできるだけ小さくして配置したい。
本実施の形態に係る照明装置は、二個の部品間の長手方向の隙間をなくした点が特徴である。
本実施の形態は、一方の部品の端面で他方の部品に接触させるのではない。
本実施の形態は、二個の部品をオーバーラップさせて、オーバーラップ量の増減により部品の長手方向への伸縮を吸収する構成が特徴である。
本実施の形態は、一方の部品の面と他方の部品の面とを平行に隙間なく配置したものである。
一方の部品の面を水平に構成し、他方の部品の面を水平に構成し、両面を水平に対向させればよく、両面を上下方向に接触させて隙間なく平行に配置することができる。
仮に、両面を上下方向に接触させることが難しくわずかな隙間が生じる場合でも、上下方向の隙間の間隔寸法Ｔ０よりも、２個の部品の対向する部分を長くすることにより、異物が侵入し難くなる。
部品が長手方向に伸縮しても、長手方向には隙間がなく、２個の部品の対向する部分が長手方向にずれるだけである。
二個の部品の対向する対向面の長手方向の長さを、部品の長手方向への最大伸縮長さより大きくしておけば、二個の部品間の重なりがなくなり二個の部品間に長手方向の隙間が発生してしまうことはない。
【００５７】
上述した二個の部品とは、以下のとおりである。
（１）支持部材２４の一端部２５０の場合、端部カバー２２と電線保持具４８とが２個の部品であり、端部カバー２２の第１突出片２２５と電線保持具４８の対向面部４８９０とが上下方向に隙間なく水平面で対向して配置されている。
（２）支持部材２４の他端部２６０の場合、端部カバー２２と支持部材２４とが２個の部品であり、端部カバー２２の第１突出片２２５と支持部材２４の突出部２６１とが上下方向に隙間なく水平面で対向して配置されている。
【００５８】
以下、本実施の形態の特徴的構成について説明する。
照明具２は、第１方向（長手方向）に沿って１面に発光素子３１が配置された支持部材２４を有する。
照明具２は、支持部材２４の１面を覆うように支持部材２４に取り付けられた主カバー２１を有する。
主カバー２１は、第１方向（長手方向）に沿って開口部２１４を有する。
照明具２は、支持部材２４の端部に取り付けられた電線保持具４８を有する。
照明具２は、主カバー２１に固定された端部カバー２２を有する。
端部カバー２２は、主カバー２１の端部が取り付けられた取付部２２３を有する。
【００５９】
端部カバー２２は、取付部２２３から第１方向（長手方向）の中央側に向かって突出して形成された第１突出片２２５を有する。
支持部材２４は、主部２４０の端面２４７から第１方向（長手方向）の外側に向かって突出した突出部２６１を有する。
突出部２６１は、主カバー２１の端部から第１方向（長手方向）の外側に向かって突出している。
電線保持具４８は、クランプ側部４８２２から第１方向（長手方向）の外側に向かって突出した鍔部４８９を有する。
鍔部４８９は、主カバー２１の端部から第１方向（長手方向）の外側に向かって突出している。
端部カバー２２は、第１方向（長手方向）の外側に向かって形成された後退部２２２を有する。
後退部２２２は、取付部２２３から第１方向（長手方向）の外側に向かって後退している。
【００６０】
第１突出片２２５は、支持部材２４と対向している。第１突出片２２５は、支持部材２４の突出部２６１と対向している。
第１突出片２２５は、電線保持具４８と対向している。第１突出片２２５は、電線保持具４８の鍔部４８９と対向している。
突出部２６１は、端部カバー２２と対向している。突出部２６１は、端部カバー２２の第１突出片２２５と後退部２２２の底面２２２１とに対向している。
鍔部４８９は、端部カバー２２と対向している。鍔部４８９は、端部カバー２２の第１突出片２２５と後退部２２２の底面２２２１とに対向している。
【００６１】
第１突出片２２５は、支持部材２４の厚さ寸法Ｔ３すなわち突出部２６１の厚さ寸法Ｔ３よりも長く突出部２６１と対向しており、第１突出片２２５は、第１突出片２２５の厚さ寸法Ｔ２よりも長く突出部２６１と対向している。
【００６２】
突出部２６１は、第１突出片２２５の厚さ寸法Ｔ２よりも長く第１突出片２２５と対向しており、突出部２６１は、支持部材２４の厚さ寸法Ｔ３すなわち突出部２６１の厚さ寸法Ｔ３よりも長く第１突出片２２５と対向している。
【００６３】
鍔部４８９は、第１突出片２２５の厚さ寸法Ｔ２よりも長く第１突出片２２５と対向しており、鍔部４８９は、鍔部４８９の厚さ寸法Ｔ１とクランプ側部４８２２の厚さ寸法Ｔ４よりも長く第１突出片２２５と対向している。
【００６４】
オーバーラップ量は、支持部材２４の厚さ寸法Ｔ３すなわち突出部２６１の厚さ寸法Ｔ３又は第１突出片２２５の厚さ寸法Ｔ２と、突出部２６１と第１突出片２２５との間隔寸法Ｔ０とを加算した寸法よりも長く、突出部２６１と第１突出片２２５とが対向していることにより、端部側から異物が侵入し難くなる。
オーバーラップ量は、鍔部４８９の厚さ寸法Ｔ１又はクランプ側部の厚さ寸法Ｔ４と、鍔部４８９と第１突出片２２５との間隔寸法Ｔ０とを加算した寸法よりも長く、鍔部４８９が第１突出片２２５と対向していることにより、端部側から異物が侵入し難くなる。
【００６５】
後退部２２２の壁面２２２２と鍔部４８９の先端との間に隙間寸法Ｍ２の隙間が存在する。
後退部２２２の壁面２２２２と突出部２６１の先端との間に隙間寸法Ｍ５の隙間が存在する。
【００６６】
鍔部４８９の第２方向（短手方向）の長さ寸法Ｆは、開口部２１４の第２方向（短手方向）の長さ寸法Ｗ１よりも大きい。
突出部２６１の第２方向（短手方向）の長さ寸法Ｇは、開口部２１４の第２方向（短手方向）の長さ寸法Ｗ１よりも大きい。
【００６７】
第１突出片２２５の第２方向（短手方向）の長さ寸法Ｗ４は、開口部２１４の第２方向（短手方向）の長さ寸法Ｗ１と同じである。
第１突出片２２５の長さ寸法Ｗ４を開口部２１４の長さ寸法Ｗ１より大きくすると、第１突出片２２５の両側がカバー保持部２１３に衝突する。
第１突出片２２５の長さ寸法Ｗ４を開口部２１４の長さ寸法Ｗ１より小さくすると、開口部２１４の短手方向の両側に隙間ができる。
第１突出片２２５の長さ寸法Ｗ４を開口部２１４の長さ寸法Ｗ１と同じにすることで、第１突出片２２５をカバー保持部２１３の間に配置するができるとともに、開口部２１４の短手方向は全て第１突出片２２５によりカバーされ開口部２１４の短手方向の両側に隙間がなくなる。
【００６８】
＊＊＊実施の形態の効果の説明＊＊＊
本実施の形態に係る照明装置によれば、従来隙間を形成していた部品をオーバーラップさせて、虫又は塵芥が侵入する経路を長くしているので、照明装置の内部に虫又は塵芥が入りにくい。
照明装置の部品に成型ばらつき、寸法公差ばらつき、熱膨張、又は、熱収縮があっても、部品間のオーバーラップ量を増やすことで、部品を確実にオーバーラップさせることができる。
また、特別な部品を追加することなく、部品の寸法変更だけで、隙間の長さを長くすることができるため、照明装置の製造コストが増加しない。
本実施の形態に係る照明装置によれば、両端部の虫の侵入経路を遮断、あるいは侵入距離を長くしているので、照明装置内に虫が侵入すること、照明装置内にごみ、ほこりが入ることを防止することができる。さらに、部品のオーバーラップにより長手方向に隙間が発生しないので光漏れが起こることも防止することができる。
【００６９】
＊＊＊照明装置６００の変形例＊＊＊
図１２は、カバー保持部２１３の中央方向への張出寸法の長さ寸法Ｗ２が短い場合を示している。張出寸法の長さ寸法Ｗ２が短い場合、捕捉空間５４１の短手方向の長さが小さくなり、開放空間５４０の短手方向の長さ寸法Ｗ１が大きくなる。
開放空間５４０の短手方向の長さ寸法Ｗ１が大きくなる場合、以下のような構成になる。
【００７０】
支持部材２４の一端部２５０における端部カバー２２の取付構造の説明
図１２の（ｂ）に示すように、電線保持具４８のベース部４８０に２個の拡大部４８００を形成する。
拡大部４８００は、鍔部４８９の両側に鍔部４８９と同じ厚さでかつ同じ突出長さで形成される。
鍔部４８９と拡大部４８００との隙間はない方が望ましい。
また、端部カバー２２の後退部２２２と第１突出片２２５との短手方向の長さを大きくする。
【００７１】
図１２に示す寸法関係は以下のとおりである。
鍔部４８９と拡大部４８００との短手方向の合計長さ寸法Ｗ５は、開口部２１４の長さ寸法Ｗ１よりも大きい。
鍔部４８９と拡大部４８００との短手方向の合計長さ寸法Ｗ５は、端部カバー２２の後退部２２２の短手方向の長さ寸法Ｗ７より小さい。
鍔部４８９と拡大部４８００との短手方向の合計長さ寸法Ｗ５は、第１突出片２２５の短手方向の長さ寸法Ｗ４より大きい。
鍔部４８９と拡大部４８００との短手方向の合計長さ寸法Ｗ５は、支持部材２４の主部２４０の短手方向の長さ寸法Ｗ８以下である。
【００７２】
支持部材２４の他端部２６０における端部カバー２２の取付構造の説明
図１２の（ｃ）に示すように、支持部材２４の突出部２６１の短手方向の長さを大きくする。
端部カバー２２の後退部２２２の短手方向の長さを大きくする。
【００７３】
図１２に示す寸法関係は以下のとおりである。
突出部２６１の短手方向の長さ寸法Ｗ６は、開口部２１４の長さ寸法Ｗ１よりも大きい。
突出部２６１の短手方向の長さ寸法Ｗ６は、端部カバー２２の後退部２２２の短手方向の長さ寸法Ｗ７より小さい。
突出部２６１の短手方向の長さ寸法Ｗ６は、第１突出片２２５の短手方向の長さ寸法Ｗ４より大きい。
突出部２６１の短手方向の長さ寸法Ｗ６は、支持部材２４の主部２４０の短手方向の長さ寸法Ｗ８以下である。
【００７４】
実施の形態２．
この実施の形態では、前述した実施の形態と異なる点について説明する。
図１３は、第１突出片２２５がない端部カバー２２を示す図である。
図１３に示すように、端部カバー２２には、後退部２２２が形成されているが、後退部２２２から中央方向に延びる第１突出片２２５は存在しない。
【００７５】
第１突出片２２５がない構成の説明
図１４は、第１突出片２２５がない端部カバー２２を使用した照明具の部分拡大断面図である。
図１４の（ａ）に示すように、端部カバー２２に第１突出片２２５がない場合でも、クランプ部４８２の鍔部４８９が後退部２２２の底面２２２１と十分重なりあうように長手方向外側に突出していればよい。
図１４の（ｂ）に示すように、端部カバー２２に第１突出片２２５がない場合でも、支持部材２４の突出部２６１が後退部２２２の底面２２２１と十分重なりあうように長手方向外側に突出していればよい。
【００７６】
鍔部４８９がない構成の説明
図１５の（ａ）は、鍔部４８９がない電線保持具４８を使用した照明具の部分拡大断面図である。
図１５の（ａ）に示すように、電線保持具４８に鍔部４８９がない場合でも、端部カバー２２の第１突出片２２５が電線保持具４８のクランプ側部４８２２の下端面と十分重なりあうように長手方向中央側に突出していればよい。
【００７７】
突出部２６１がない構成の説明
図１５の（ｂ）は、突出部２６１がない支持部材２４を使用した照明具の部分拡大断面図である。
図１５の（ｂ）に示すように、支持部材２４に突出部２６１がない場合でも、端部カバー２２の第１突出片２２５が支持部材２４の主部２４０と十分重なりあうように長手方向中央側に突出していればよい。
【００７８】
屋根部２２２３の説明
図１６に示すように、端部カバー２２の後退部２２２に、屋根部２２２３を形成してもよい。
屋根部２２２３は、壁面２２２２の上部から長手方向中央側に突出した庇である。
屋根部２２２３は、底面２２２１と平行に形成される。
屋根部２２２３を形成することにより、端部カバー２２に長手方向中央側に開口した凹部又は溝が形成される。
図１６の（ａ）に示すように、凹部又は溝に電線保持具４８の鍔部４８９の端部が嵌め込まれ、電線保持具４８の鍔部４８９は、屋根部２２２３と底面２２２１との間において、長手方向に移動することができる。
図１６の（ｂ）に示すように、凹部又は溝に支持部材２４の突出部２６１の端部が嵌め込まれ、支持部材２４の突出部２６１は、屋根部２２２３と底面２２２１との間において、長手方向に移動することができる。
屋根部２２２３により、虫及び塵芥の侵入ルートがＵ字状になり、虫及び塵芥の侵入をさらに防止することができる。
【００７９】
実施の形態の補足説明
実施の形態の複数の部分を組み合わせて実施しても構わない。あるいは、実施の形態のうち、１つの部分を実施しても構わない。その他、実施の形態を、全体としてあるいは部分的に、どのように組み合わせて実施しても構わない。
なお、上述した実施の形態は、本質的に好ましい例示であって、本発明の範囲、本発明の適用物の範囲、及び、本発明の用途の範囲を制限することを意図するものではない。上述した実施の形態は、必要に応じて種々の変更が可能である。
【符号の説明】
【００８０】
６００  照明装置、１  照明器具、１０  器具本体、１０１  外観主部、１０２  ユニット取付部、１０３  底面部、１０４  周面部、１０５  器具端部、１１  器具側取付装置、１２  器具電源線材、１３  器具側コネクタ、２  照明具、２０  外郭部、２１  主カバー、２１０  カバー主部、２１１  カバー側部、２１２  カバー係合部、２１３  カバー保持部、２１４  開口部、２２  端部カバー、２２０  端面部、２２１  周部、２２２  後退部、２２２１  底面、２２２２  壁面、２２２３  屋根部、２２３  取付部、２２３０  嵌込部、２２４  差込部、２２５  第１突出片、２２６  基端部、２２７  先端部、２２８  第１面部、２２９  第２面部、２３０  第２突出片、２３１  基端部、２３２  先端部、２３４  第１面部、２３５  第２面部、２４  支持部材、２４０  主部、２４１  第１面部、２４２  第２面部、２４３  側縁部、２４４  側部、２４５  基端部、２４６  先端部、２４７  端面、２５０  一端部、２５１  電線保持具装着部、２５２  電線挿通切欠き部、２５３  電線保持具装着孔、２６０  他端部、２６１  突出部、３０  光源モジュール、３１  発光素子、３２  回路部品、３３  基板コネクタ、３４  基板、３４０  実装面、３４１  非実装面、４０  電源ユニット、４１  端子台、４２  ユニット側電源線材、４３  ユニット側コネクタ、４４  給電線材、４５  給電コネクタ、４６  ユニット側取付装置、４８  電線保持具、４８０  ベース部、４８００  拡大部、４８１  取付フック、４８２  クランプ部、４８２１  クランプ天部、４８２２  クランプ側部、４８２３  配線押え部、４８３  ヒンジ部、４８４  クランプ受け部、４８５  ガイド部、４８６  電線挿通溝、４８７  第１係合部、４８８  第２係合部、４８９  鍔部、４８９０  対向面部、４９  電線留め具、５４  内部空間、５４０  開放空間、５４１  捕捉空間、Ｚａ  隙間、Ｚｂ  隙間、９００  造営部。
【図１】
2019029070.tif 000003
【図２】
2019029070.tif 000004
【図３】
2019029070.tif 000005
【図４】
2019029070.tif 000006
【図５】
2019029070.tif 000007
【図６】
2019029070.tif 000008
【図７】
2019029070.tif 000009
【図８】
2019029070.tif 000010
【図９】
2019029070.tif 000011
【図１０】
2019029070.tif 000012
【図１１】
2019029070.tif 000013
【図１２】
2019029070.tif 000014
【図１３】
2019029070.tif 000015
【図１４】
2019029070.tif 000016
【図１５】
2019029070.tif 000017
【図１６】
2019029070.tif 000018